(57)【要約】【課題】  擦り足を基本とする剣道等の床材として好適であり、かつ練習中又は試合中に剣士等が踏み込み時の足腰への負担を和らげる。【課題を解決するための手段】  少なくとも表面層が擦り足を円滑に行うことができる天然木材の板材であって、道場に敷設する単層板又は積層板で構成される長方形状の床構成要素の複数枚を組み合わせて道場床を構成し、該床構成要素のそれぞれの裏面に間隔をおいて直接又は間接的にクッション性を有する弾性体を取り付け、該弾性体の取付け位置は前記床構成要素の長辺の一方の側及び短辺の一方の側のそれぞれのコーナー位置と中間位置に取り付けるとともに床構成要素同士が隣接する位置では双方に跨るように長辺側の一方及び短辺側の一方に共有する弾性体を取り付けることを特徴とする移動式道場床。【選択図】図１
2013136918.tif 000002
【特許請求の範囲】
【請求項１】
少なくとも表面層が擦り足を円滑に行うことができる天然木材の板材であって、道場に敷設する単層板又は積層板で構成される長方形状の床構成要素の複数枚を組み合わせて道場床を構成し、該床構成要素のそれぞれの裏面に間隔をおいて直接又は間接的にクッション性を有する弾性体を取り付け、該弾性体の取付け位置は前記床構成要素の長辺の一方の側及び短辺の一方の側のそれぞれのコーナー位置と中間位置に取り付けるとともに床構成要素同士が隣接する位置では双方に跨るように長辺側の一方及び短辺側の一方に共有する弾性体を取り付けることを特徴とする移動式道場床。
【請求項２】
請求項１記載の移動式道場床において、短辺側の第１列目と第３列目の床構成要素は長辺側方向の始端から終端の取り付け位置が同じで、第１列目と第３列目の間に入る第２列目の床構成要素は一端の取り付け位置が外側にはみ出るが隣接する床構成要素同士の長辺位置に設ける弾性体の取付け位置は一致して共有することを特徴とする。
【請求項３】
請求項１記載の移動式道場床における表面層は擦り足を円滑に行うことができる天然木材の板材の樹種は杉、松、桧を含む針葉樹であることを特徴とする。
【請求項４】
請求項１記載の移動式道場床における積層板は３層又は５層を含む多層であることを特徴とする。
【請求項５】
請求項１記載の移動式道場床における単層板はその裏面に根太を敷設し、該根太の下面に間隔をおいてクッション性を有する弾性体を取り付けたことを特徴とする。
【発明の詳細な説明】
【技術分野】
【０００１】
本発明は屋内では休教室や体育館、ホールなどの床に新たに移動式道場床を設置するか、又は屋外では駐車場やスケートリンク、水を抜いたプールの床等に移動式道場床を設置することができ、移設時には設置した移動式道場床を取り外して次の会場等に移動して設置することが可能な主として武道用の移動式道場床、例えば、剣道、なぎなた、居合術、杖術、槍、空手道、合気道、少林寺拳法、柔剣道、短剣道、日本拳法、スポーツチャンバラ、柔術、剣術、抜刀術、鎖鎌等の各種移動式道場床に関する。
【背景技術】
【０００２】
従来の例えば剣道場の床は擦り足を基本とする剣道の稽古に必ずしも適していない道場があることが指摘されている。また、剣道場においては練習中又は試合中に剣士が踏み込み時の足腰への負担を和らげることが重要であることも指摘されている。
しかし、実際には剣道場の床材として合板材料が使用されていたり、天然の木材でも表面が滑りやすかったり、床表面に剣道に適さない塗装が施されていたり、床材としてクッション性に欠ける素材にて形成されている場合が多い。
【発明の概要】
【発明が解決しようとする課題】
【０００３】
先行技術文献として、被設置場所の床部に被敷設体を設置するとともに、前記被敷設体を前記床部から収納する装置であって、前記被設置場所の床部または壁部に対して出入り可能に設けられ、前記被敷設体を収納する収納部を複数備えた収納体と、前記収納体が前記床部または前記壁部から出されたときに、前記収納部に収納された前記被敷設体を前記収納部の外部に出し、前記床部の前記被敷設体を前記収納部に入れる設置収納用作動部とを備えてなり、前記収納部は、前記収納体が前記床部または前記壁部から出されたときに開口し、前記被敷設体を前記収納部に対して出入りさせるための開口部を有し、前記収納体は、前記複数の収納部のそれぞれの前記開口部が前記床部に対して臨むように、前記床部または前記壁部に対して出入りし、前記設置収納用作動部は、前記収納部の前記開口部が前記床部に臨んだときの前記収納部の前記開口部以外の方向の側方に設けられている被敷設体の自動設置収納装置の発明が開示されている（特許文献１）。
【０００４】
【特許文献１】特開２０００−３５６０４６公報
【０００５】
上記特許文献１の発明である被敷設体の自動設置収納装置は、床に対する傷みを最小限に抑えることができる旨の記載がされているが、この発明においては床の損傷を最小限に押さえることを主眼にしており、擦り足を基本とする剣道の稽古等には必ずしも適しておらず、また、練習中又は試合中に剣士が踏み込み時の足腰への負担を和らげることについては何ら配慮されていない。
【０００６】
本発明は上記の点に鑑みてなされたもので、その目的とするところは常設の剣道場を含む各種常設道場ではなく、擦り足を基本とする剣道等の床材として好適であり、かつ練習中又は試合中に剣士が踏み込み時の足腰への負担を和らげることができ、全国各地或いは世界中の必要とする場所で剣道場その他各種武殿の道場として移設が可能な移動式道場床を提供することにある。
【課題を解決するための手段】
【０００７】
本発明に係る移動式道場床は、少なくとも表面層が擦り足を円滑に行うことができる天然木材の板材であって、道場に敷設する単層板又は積層板で構成される長方形状の床構成要素の複数枚を組み合わせて道場床を構成し、該床構成要素のそれぞれの裏面に間隔をおいて直接又は間接的にクッション性を有する弾性体を取り付け、該弾性体の取り付け位置は前記床構成要素の長辺の一方の側及び短辺の一方の側のそれぞれのコーナー位置と中間位置に取り付けるとともに床構成要素同士が隣接する位置では双方に跨るように長辺側の一方及び短辺側の一方に共有する弾性体を取り付けることを特徴とする。
【０００８】
請求項１記載の移動式道場床において、短辺側の第１列目と第３列目の床構成要素は長辺側方向の始端から終端の取り付け位置が同じで、第１列目と第３列目の間に入る第２列目の床構成要素は一端の取り付け位置が外側にはみ出るが隣接する床構成要素同士の長辺位置に設ける弾性体の取り付け位置は一致して共有することを特徴とする。
【０００９】
請求項１記載の移動式道場床における表面層は擦り足を円滑に行うことができる天然木材の板材の樹種は杉、松、桧を含む針葉樹であることを特徴とする。
【００１０】
請求項１記載の移動式道場床における積層板は３層又は５層を含む多層であることを特徴とする。
【００１１】
請求項１記載の移動式道場床における単層板はその裏面に根太を敷設し、該根太の下面に間隔をおいてクッション性を有する弾性体を取り付けたことを特徴とする。
【発明の効果】
【００１２】
本発明の移動式道場床は、柔道で使用する畳のように道場を構成する長方形状の床構成要素を小分けして体育館、公民館、学校の休教室等の様々な場所に運搬し、新たに剣道場やその他各種の武道に関する道場を設置することができる。特に本発明は床表面に剣道等の稽古に適した天然木材を使用することで擦り足を基本とする剣道等の稽古がしやすくなる。
また、例えば剣道等の練習又は試合中に剣士が竹刀等を構えて踏み込みを行う場合においても積層した木材又は単層の床構成要素の裏面に直接又は間接に間隔をおいて設置した弾性体間の間隙で生ずる板材の適度なしなりと弾性体自体のクッション性の協働作用によって踏み込み時の足腰の負担を和らげることができる。
【００１３】
このように従来の剣道場等の道場の床構造に由来する足腰の過度な負担から解放されるとともに擦り足もスムーズに行うことができ、剣道愛好者等が年齢に関係なく練習や試合に打ち込むことができる。その他の武道場として使用する場合でも足への負担を緩和することができる。
【図面の簡単な説明】
【００１４】
【図１】天然木材の板材を三層の積層板で形成し、短辺側に凹凸を有する構造の長方形状の床構成要素の平面図である。
【図２】図１における右側面図である。
【図３】図１における底面図である。
【図４】図３における右側面図である。
【図５】図３における正面図である。
【図６】天然木材の板材を三層の積層板で形成し、短辺側に凹凸を有しない構造の長方形状の床構成要素の平面図である。
【図７】図６における右側面図である。
【図８】図６における底面図である。
【図９】図８における右側面図である。
【図１０】図８における正面図である。
【図１１】図１の床構成要素の複数枚を組み合わせて剣道場の床構造の設置の一部を示す裏面図である。
【図１２】天然木材の板材を単層板で形成し、短辺側に凹凸を有する構造の長方形状の床構成要素の平面図である。
【図１３】図１２における右側面図である。
【図１４】図１２における底面図である。
【図１５】図１４における右側面図である。
【図１６】図１４における正面図である。
【図１７】図１２の単層からなる床構成要素の複数枚を組み合わせて剣道場の床構造の設置の一部を示す裏面図である。
【図１８】天然木材の板材を単層板で形成し、短辺側に凹凸を有しない構造の長方形状の床構成要素の平面図である。
【図１９】図１８における右側面図である。
【図２０】図１８における底面図である。
【図２１】図１８における右側面図である。
【図２２】図１８における正面図である。
【発明を実施するための形態】
【００１５】
以下、本発明を図面に基づいて具体的に説明する。
図１は天然木材の板材を三層の積層板で形成し、短辺側に凹凸を有する構造の長方形状の床構成要素の平面図である。
天然木材としては杉、松、桧を含む針葉樹であることが好適である。広葉樹は真っ直ぐな板材が取りにくい場合が多いが、真っ直ぐな板材が得られる場合は本発明の板材として採用される。本発明では少なくとも表面層の板材は杉、松、桧等を例示したが、樹種の選択基準としては剣士等の擦り足に対する表面足触りが良好もしくは適しているものであればよい。また、板材表面に節が無い物が好適であるが節があっても平坦に仕上げられていれば良い。
【００１６】
本発明で使用する床構成要素は単層板１又は積層板２のいずれでもよい。
積層板２は本例では３層の場合を示したが５層その他の複数の板材を交互に例えば木目の配向方向が互いに直角に交差する構成であることが強度上望ましい。本発明で使用する積層板２は天然木材を交互に張り合わせる構成であることが剣道場を始めとする道場床として好ましい。しかし、強度や撓りが確保できるならば表面層を除いた２層目以降は合板であっても良い。
【００１７】
図１〜図５は３層構造の長方形状の床構成要素３の長方形状の短辺側３ａの一方に凸部３ｂを形成し、短辺側３ａの他方に凹溝３ｃを形成した場合を示す。そして、床構成要素３の長方形状の長辺側３ｄの一方に３層の中央から突出する凸部３ｂを形成し、長辺側３ｃの他方に３層の中央で凹溝３ｃを形成する。本例では床構成要素３の短辺側３ａの長さは９１０ｍｍで、長辺側３ｃは１８２０ｍｍとした場合を示すが必ずしもこの数値に限定されるものではなく、これより面積が広い場合又は狭い場合のいずれでもよい。例えば用途によっては畳（図示せず）１畳分の面積であっても良い。
【００１８】
図１及び図３は床構成要素３の表と裏をそれぞれ示す。図１の短辺側３ａの一方は破線で示す凹溝３ｃには長手方向に接する隣接の床構成要素３の短辺側３ａに形成した凸部３ｂと嵌合する。また短辺側３ａの凸部３ｂは長手方向に隣接する床構成要素３の短辺側３ａに形成した凹溝３ｃに嵌合する。同様にして短辺側３ａの凹溝３ｃは隣接する床構成要素３の短辺側３ａの凸部３ｂと嵌合し、短辺側３ａの凸部３ｂは隣接する床構成要素３の短辺側３ａの凹溝３ｃと嵌合する。
【００１９】
図１〜図５に示す弾性体４の取り付け位置を示す。図３においては床構成要素４の裏面を示し、クッション性の弾性体４の取り付け位置が示されている。すなわち、床構成要素３の一方の短辺側３ａの隅角部裏面に他の３方の床構成要素３と１枚の弾性体４で接着固定を共有するように隅角部から一部はみ出した状態で取り付ける。また床構成要素３の一方の短辺側３ａの端部中間位置に隣接する他方の床構成要素３の短辺側３ａと嵌合状態で共有するように弾性体４を取り付ける。また床構成要素３の裏面中央位置の中間部には本例では６０６ｍｍの間隔をおいて弾性体４を取り付ける。本例では弾性体４を床構成要素３の裏面に直接取り付けた場合を示す。弾性体４の取り付け間隔及び個数は具体的な数値で示したがこの数値に限定されるものではなく撓みや曲げ弾性等の応力等を考慮して決める。弾性体４は剣士等が踏み込み時の足腰への負担を和らげることができる厚さとクッション性を備えていることが肝要である。踏み込み時にかかる強い衝撃力は弾性体４間の取り付け距離や弾性体４の板厚に伴う空隙や床構成要素３の撓み等を考慮して決めるのが望ましい。なお、複数の床構成要素３同士を組み合わせて道場を形成した場合、道場の構成する床構成要素３の周縁部にはそれぞれのコーナー及び中間位置のそれぞれに弾性体４を取り付け、道場表面が平坦になるようにしている。この点、後述する単層板１の複数枚を組み合わせて道場を設置する場合も、道場の周縁部に位置する根太５の裏面に弾性体４を取り付け、道場表面が平坦になるようにしている。
【００２０】
図６〜図１０は天然木材の板材を三層の積層板２で形成し、短辺側３ａに凹溝及び凸部を有しない構造の長方形状の床構成要素３の実施例を示す。すなわち、長辺側の３ｄの一方に凸部３ｂが形成され、長辺側の３ｄの他方に凹溝３ｃを形成した場合を示す。基本的な構造は図１〜図５の場合と同様であるので詳細な説明は省略する。
【００２１】
図１１は図１の床構成要素３の複数枚を組み合わせて剣道場等の床構造の設置の一部を示す裏面図である。
長手方向の第１列と第３列の床構成要素３、３の間に敷設する第２列の床構成要素３は６６０ｍｍほど外側にはみ出すように設置する。このように長手方向の両側の床構成要素３、３で挟まれている床構成要素３を外側に一部はみ出すように構成としたのは、共有する弾性体４で隣接する床構成要素３、３の固定位置が一つの弾性体４で共有され、かつ長手方向の短辺側３ａの接合箇所は隣接する床構成要素３の長辺側３ｄの端面でブロックされ、左右前後の強い力が作用しようとも強固に固定され、かつ組立敷設時においても左右で挟まれた床構成要素３、３の間にできた空間に嵌めるときに両側の床構成要素３、３にガイドされながらスムーズに敷設ができ、作業能率が一段と向上する。
【００２２】
図１２〜図１６は天然木材の板材が単層板１の場合で、短辺側３ａに凹溝３ｃ及び凸部３ｂを有する構造の長方形状の床構成要素３を示す。
床構成要素３は本例では厚さ３０ｍｍ、幅１８２ｍｍ、長さ１８２０ｍｍの天然木材の杉板を５枚用意し、幅方向に密着させて１枚の床構成要素３とした場合を示す。しかし、床構成要素３を構成する天然木材の枚数は特に限定されるものではない。そして、木材の厚さ、幅、長さも適宜選択される。図１及び図６の場合においても、床構成要素３は複数枚の長尺板材を接合して構成されているが図面上は省略している。
床構成要素３の短辺側３ａには厚さ方向の中央部から一端に凸部３ｂを、他端に凹溝３ｃを形成する。床構成要素３の長辺側３ｄの両端部は凹凸が無く平坦に仕上げられる。
【００２３】
図１２〜図１６に示す床構成要素３の裏面には図１４及び図１６に示すように長手方向に所定間隔をおいて３本の根太５が短辺側３ａと平行に取り付けるが、図１４に示すように短辺側３ａの一端には根太５を取り付けない。その根太５の短辺方向の一端は長辺側３ｄよりも少し内側に配置し、他端は長辺側３ｄから少し外側にはみ出るように取り付ける。根太５の裏面両端部には弾性体４をそれぞれ取り付ける。本例では根太５の幅が９０ｍｍ、長さが９１０ｍｍ、厚さが４５ｍｍである。また、弾性体の厚さは４０ｍｍ、縦、横のそれぞれの長さはいずれも９０ｍｍである。しかしこれらの数値は一例であり、この数値に限定されない。床構成要素３の短辺側３ａの一方に凸部３ｂを形成し、他方に凹溝３ｃを形成したのは隣接する床構成要素３同士の端部を嵌合させ、接合が強固になるようにするとともに長辺側３ｄ同士は直接突き合わせ接合する。長辺側３ｄを突き合わせ接合する時、他方の床構成要素３の長辺側３ｄの端部が相手の根太５の上に載置されるので隣接する床構成要素３同士の表面が均一の高さに設定され、擦り足動作に対する違和感が解消される。
【００２４】
図１７は図１２の単層からなる床構成要素３の複数枚を組み合わせて剣道場等の床構造の設置の一部を示す裏面図である。
床構成要素３の組み合わせ構造は図１１に示す場合と同様である。根太５を使用した場合は、隣接する床構成要素３の接合部における共有する弾性体４の設置面積を十分に確保するために他の共有しない箇所に比べ設置面積を大きくすることにより取り付け固定したときの安定性や強度等が一層増すことになる。
【００２５】
図１８〜図２２は天然木材の板材が単層板１で、短辺側３ａに凹凸を有しない構造で、長辺側３ｄには凹溝３ｃ及び凸部３ｂを有する構造の長方形状の床構成要素３を示す。
床構成要素３の裏面に取り付ける根太５の設置本数及び配置は、図１２〜図１６に示した構成と同様である。本例では床構成要素３の長辺側３ｄが凹溝３ｃ及び凸部３ｂを形成し嵌合する構成となる。短辺側３ａは突き合わせ接合する構成となる。
【産業上の利用可能性】
【００２６】
本発明は屋内では休教室や体育館、ホールなどの床に設置し、屋外では駐車場やスケートリンク、水を抜いたプールの床等に設置することができる。
また、設置した道場を取り外して次の会場等に移動して設置が可能な移動式道場床は、例えば、なぎなた、居合術、杖術、槍、空手道、合気道、少林寺拳法、柔剣道、短剣道、日本拳法、スポーツチャンバラ、柔術、剣術、抜刀術、鎖鎌等の各種武道の道場床に適用され、この種の床材を取り扱う木材業者、建築業者やスポーツ施設取扱業者等の多分野にわたり利用され、産業上の利用分野は多岐に亘る。
【符号の説明】
【００２７】
１        単層板
２        積層板
３        床構成要素
３ａ      短辺側
３ｂ      凸部
３ｃ      凹溝
３ｄ      長辺側
４        弾性体
５        根太
【図７】
2013136918.tif 000003
【図１０】
2013136918.tif 000004
【図１２】
2013136918.tif 000005
【図１３】
2013136918.tif 000006
【図１４】
2013136918.tif 000007
【図１５】
2013136918.tif 000008
【図１６】
2013136918.tif 000009
【図１８】
2013136918.tif 000010
【図１９】
2013136918.tif 000011
【図２０】
2013136918.tif 000012
【図２１】
2013136918.tif 000013
【図２２】
2013136918.tif 000014
【図１】
2013136918.tif 000015
【図２】
2013136918.tif 000016
【図３】
2013136918.tif 000017
【図４】
2013136918.tif 000018
【図５】
2013136918.tif 000019
【図６】
2013136918.tif 000020
【図８】
2013136918.tif 000021
【図９】
2013136918.tif 000022
【図１１】
2013136918.tif 000023
【図１７】
2013136918.tif 000024